(57)【特許請求の範囲】
【請求項１】
コネクタハウジングの端子収容室に収容され、前記端子収容室内に撓み可能に設けられた係止ランスと係合されるコネクタ端子であって、
前記端子収容室の開口側に配置され板状の壁部で筒状に設けられた接続部と、この接続部を形成した前記板状の壁部の前記係止ランスに相対向する一壁部にのみ設けられ前記係止ランスの係合突部が挿入され前記係合突部に係合される被係合口とを有し、
前記被係合口には、前記接続部が前記端子収容室から抜ける方向に移動されたときに前記係止ランスの係合突部のランス係止面に当接され、前記係合突部が前記被係合口から挿入解除方向へ移動することを規制する規制手段が設けられ、この規制手段は、前記一壁部に設けられた前記被係合口の縁部の前記ランス係止面側の一部で形成されていることを特徴とするコネクタ端子。
【請求項２】
請求項１記載のコネクタ端子であって、
前記規制手段は、前記被係合口の縁部が鋭角に形成され前記係止ランスの係合突部の前記ランス係止面に食い込む鋭角部を有することを特徴とするコネクタ端子。
【請求項３】
請求項１又は２記載のコネクタ端子であって、
前記規制手段は、前記筒状の接続部の外部に向けて突設された突出部を有することを特徴とするコネクタ端子。
【発明の詳細な説明】
【技術分野】
【０００１】
本発明は、コネクタ端子に関する。
【背景技術】
【０００２】
従来、コネクタハウジングの端子収容室に収容され、端子収容室内に撓み可能に設けられた係止ランスと係合されるコネクタ端子としては、端子収容室としてのキャビティの開口側に配置され筒状に設けられた接続部と、この接続部に設けられ係止ランスの係合突部としての係止部が挿入され係止部に係合される被係止部が設けられた被係合口としての係止孔とを有するものが知られている（例えば、特許文献１参照）。
【０００３】
このコネクタ端子では、接続部の外面にキャビティの内壁に設けられた挿通溝を通してコネクタ端子の挿入動作を案内するスタビライザが突設されている。そして、係止ランスの係止部は、接続部の被係止部をほぼ全幅に亘って係止可能に設けられ、この係止部より後方でかつ係止部と幅方向に重なる部分には、挿通溝と連通してスタビライザの突入を許容する逃し凹部が設けられている。
【先行技術文献】
【特許文献】
【０００４】
【特許文献１】特開２００５−２５９３６３号公報
【発明の概要】
【発明が解決しようとする課題】
【０００５】
ところで、上記のようなコネクタ端子では、コネクタハウジングの係止ランスの係止部がコネクタ端子の接続部の被係止部をほぼ全幅に亘って係止可能に設けられるなど、比較的係止ランスの周囲にスペースがある場合に有効である。
【０００６】
しかしながら、コネクタハウジングの小型化を進める場合、係止ランスの周囲にスペースを確保することができない、もしくは係止ランス自体が小型化されるなど、係止ランスによるコネクタ端子の保持力が低下する恐れがあった。
【０００７】
そこで、この発明は、コネクタハウジングを小型化することができると共に、係止ランスによる保持力を向上することができるコネクタ端子の提供を目的としている。
【課題を解決するための手段】
【０００８】
請求項１記載の発明は、コネクタハウジングの端子収容室に収容され、前記端子収容室内に撓み可能に設けられた係止ランスと係合されるコネクタ端子であって、前記端子収容室の開口側に配置され板状の壁部で筒状に設けられた接続部と、この接続部を形成した前記板状の壁部の前記係止ランスに相対向する一壁部にのみ設けられ前記係止ランスの係合突部が挿入され前記係合突部に係合される被係合口とを有し、前記被係合口には、前記接続部が前記端子収容室から抜ける方向に移動されたときに前記係止ランスの係合突部のランス係止面に当接され、前記係合突部が前記被係合口から挿入解除方向へ移動することを規制する規制手段が設けられ、この規制手段は、前記一壁部に設けられた前記被係合口の縁部の前記ランス係止面側の一部で形成されていることを特徴とする。
【０００９】
このコネクタ端子では、被係合口に接続部が端子収容室から抜ける方向に移動されたときに係止ランスの係合突部のランス係止面に当接され、係合突部が被係合口から挿入解除方向へ移動することを規制する規制手段が設けられ、この規制手段は、板状の壁部のランス係止面側の一部で形成されているので、コネクタ端子に端子収容室から抜ける方向の外力が加わったとしても、係合突部と被係合口との係合が解除されることがなく、係止ランスによるコネクタ端子の保持力を向上することができる。
【００１０】
従って、コネクタハウジングの係止ランスにコネクタ端子の保持力を向上する構造を必要とすることがなく、コネクタハウジングを小型化することができると共に、係止ランスによる保持力を向上することができる。
【００１１】
請求項２記載の発明は、請求項１記載のコネクタ端子であって、前記規制手段は、前記被係合口の縁部が鋭角に形成され前記係止ランスの係合突部の前記ランス係止面に食い込む鋭角部を有することを特徴とする。
【００１２】
このコネクタ端子では、規制手段が被係合口の縁部が鋭角に形成され係止ランスの係合突部のランス係止面に食い込む鋭角部を有するので、コネクタ端子に端子収容室から抜ける方向の外力が加わると、鋭角部が係合突部のランス係止面により食い込まれ、係合突部と被係合口との係合解除を防止することができる。
【００１３】
請求項３記載の発明は、請求項１又は２記載のコネクタ端子であって、前記規制手段は、前記筒状の接続部の外部に向けて突設された突出部を有することを特徴とする。
【００１４】
このコネクタ端子では、規制手段が筒状の接続部の外部に向けて突設された突出部を有するので、係止ランスの係合突部が被係合口から挿入解除方向へ移動しようとしても、突出部が位置されて係合突部に当接され、係合突部と被係合口との係合解除を防止することができる。
【発明の効果】
【００１５】
本発明によれば、コネクタハウジングを小型化することができると共に、係止ランスによる保持力を向上することができるコネクタ端子を提供することができるという効果を奏する。
【図面の簡単な説明】
【００１６】
【図１】（ａ）は本発明の第１実施形態に係るコネクタ端子が収容されるコネクタハウジングの正面図である。（ｂ）は図１（ａ）のＡ−Ａ断面図である。
【図２】（ａ）は本発明の第１実施形態に係るコネクタ端子が雌コネクタ端子であるときの斜視図である。（ｂ）は図２（ａ）の正面図である。（ｃ）は図２（ｂ）のＢ−Ｂ断面図である。
【図３】（ａ）は本発明の第１実施形態に係るコネクタ端子が雄コネクタ端子であるときの斜視図である。（ｂ）は図３（ａ）の正面図である。（ｃ）は図３（ｂ）のＣ−Ｃ断面図である。
【図４】（ａ）は図２（ｃ）のＤ−Ｄ断面図である。（ｂ）は本発明の第１実施形態に係るコネクタ端子の要部断面図である。
【図５】（ａ）は本発明の第１実施形態に係るコネクタ端子をコネクタハウジングに収容したときの断面図である。（ｂ）は本発明の第１実施形態に係るコネクタ端子が端子収容室から抜ける方向に移動されたときの断面図である。
【図６】（ａ）は本発明の第２実施形態に係るコネクタ端子の要部断面図である。（ｂ）は本発明の第２実施形態に係るコネクタ端子が端子収容室から抜ける方向に移動されたときの断面図である。
【発明を実施するための形態】
【００１７】
図１〜図６を用いて本発明の実施の形態に係るコネクタ端子について説明する。
【００１８】
（第１実施形態）
図１〜図５を用いて第１実施形態について説明する。
【００１９】
本実施の形態に係るコネクタ端子１は、コネクタハウジング３の端子収容室５に収容され、端子収容室５内に撓み可能に設けられた係止ランス７と係合される。
【００２０】
また、コネクタ端子１は、端子収容室５の開口９側に配置され筒状に設けられた接続部１１と、この接続部１１に設けられ係止ランス７の係合突部１３が挿入され係合突部１３に係合される被係合口１５とを有する。
【００２１】
そして、被係合口１５には、接続部１１が端子収容室５から抜ける方向に移動されたときに係止ランス７の係合突部１３に当接され、係合突部１３が被係合口１５から挿入解除方向へ移動することを規制する規制手段１７が設けられている。
【００２２】
また、規制手段１７は、被係合口１５の縁部が鋭角に形成され係止ランス７の係合突部１３のランス係止面３９に食い込む鋭角部１９を有する。
【００２３】
なお、ここでは、後述する雌コネクタ端子１ａと雄コネクタ端子１ｂのうち雌コネクタ端子１ａを用いることとし、雌コネクタ端子１ａをコネクタ端子１として説明する。
【００２４】
図１に示すように、コネクタハウジング３は、端子収容室５と、一対の端子支持部２１，２３と、係止ランス７とを備えている。端子収容室５は、コネクタハウジング３の長さ方向に延設されており、挿入口２５側からコネクタ端子１が挿入され、開口９側にコネクタ端子１の接続部１１側が配置される。この端子収容室５にコネクタ端子１を収容することによって、コネクタハウジング３を相手ハウジング（不図示）と嵌合することにより、開口９側の接続部挿入口２７から相手端子となる雄コネクタ端子１ｂのタブ５１（図３参照）が挿通され、コネクタ端子１の接続部１１と相手端子とが接続される。このような端子収容室５に収容されたコネクタ端子１の接続部１１側は、一対の端子支持部２１，２３によって支持される。
【００２５】
一対の端子支持部２１，２３は、端子収容室５の両側壁２９，３１から互いに近接するように端子収容室５の幅方向に延設されると共に、開口９側から係止ランス７に向けて端子収容室５の長さ方向に延設されている。この一対の端子支持部２１，２３は、端子収容室５内にコネクタ端子１が収容された状態で、コネクタ端子１の接続部１１側の幅方向両側の下面を支持する。このような一対の端子支持部２１，２３よりも挿入口２５側には、係止ランス７が設けられている。
【００２６】
係止ランス７は、下面３３と端子収容室５の内壁面３５との間に形成された可撓空間３７に撓み可能に設けられている。また、係止ランス７には、撓み方向の上方に突出してランス係止面３９が形成された係合突部１３が設けられている。この係止ランス７は、挿入口２５側から端子収容室５内にコネクタ端子１が収容されたときに、傾斜面４１がコネクタ端子１の先端部と当接することによって下方に撓まされる。この状態からコネクタ端子１を開口９側に向けて挿入し、コネクタ端子１の接続部１１側が一対の端子支持部２１，２３によって支持されたときに、係止ランス７が上方に復元する。このとき、係合突部１３がコネクタ端子１の被係合口１５に挿入され、コネクタ端子１の端子収容室５からの抜けが防止される。
【００２７】
図２，図３に示すように、コネクタ端子１は、導電性材料からなり、雌コネクタ端子１ａと雄コネクタ端子１ｂとを有し、電線固定部４３と接続部１１と被係合口１５とを備えている。電線固定部４３は、雌コネクタ端子１ａと雄コネクタ端子１ｂ共に、被覆電線（不図示）の芯線が導通して加締められる芯線固定部４５と、被覆電線の被覆部を加締めて被覆電線を固定する被覆固定部４７とを有する。この電線固定部４３に被覆電線が固定されることにより、被覆電線に接続された電子部品（不図示）などとコネクタ端子１とが電気的に接続される。
【００２８】
接続部１１は、板状の壁部５３により四角形状の角筒状に形成され、雌コネクタ端子１ａは内部に弾性変形可能なバネ４９を有し、雄コネクタ端子１ｂはコネクタハウジング３の接続部挿入口２７に挿入可能なタブ５１を有する。この接続部１１は、雌コネクタ端子１ａの接続部１１内に雄コネクタ端子１ｂのタブ５１を挿入させることにより、タブ５１にバネ４９が弾性的に接触され、雌コネクタ端子１ａと雄コネクタ端子１ｂとが電気的に接続される。このような接続部１１には、コネクタ端子１を端子収容室５内に係止させるためのランスホールからなる被係合口１５が設けられている。
【００２９】
なお、以下では、雌コネクタ端子１ａをコネクタ端子１として被係合口１５について説明するが、雄コネクタ端子１ｂをコネクタ端子１とした場合でも雄コネクタ端子１ｂの被係合口１５は雌コネクタ端子１ａと同様に機能し、得られる効果は同様である。
【００３０】
図２，図４，図５に示すように、被係合口１５は、角筒状の接続部１１を形成した板状の壁部５３の係止ランス７に相対向する一壁部５３にのみ接続部１１の内部と外部とを連通するように設けられている。即ち、被係合口１５は、複数の壁部５３にまたがることなく板状の壁部５３の係止ランス７に相対向する一壁部５３にのみ設けられている。そして、この被係合口１５は、係止ランス７の係合突部１３が挿入され、コネクタ端子１に挿入口２５側に向けて端子収容室５から抜ける方向に外力が加わると、被係合口１５の縁部が係合突部１３のランス係止面３９に当接され、コネクタ端子１の端子収容室５からの抜けを防止する。このような被係合口１５の縁部には、一壁部５３のランス係止面３９側の一部からなる規制手段１７が設けられている。
【００３１】
規制手段１７は、係合突部１３のランス係止面３９に当接される被係合口１５の縁部が鋭角に形成された鋭角部１９を有する。この鋭角部１９は、コネクタ端子１の接続部１１が端子収容室５から抜ける方向に移動されたときに係合突部１３のランス係止面３９に食い込む。この鋭角部１９のランス係止面３９への食い込みにより、係合突部１３が被係合口１５から挿入解除方向へ移動すること規制することができ、係合突部１３と被係合口１５との係合解除を防止することができる。
【００３２】
ここで、被係合口１５のランス係止面３９に当接される縁部が無加工、あるいは面取り程度の加工であるようなフラット形状である場合、コネクタ端子１に挿入口２５側に向けて端子収容室５から抜ける方向に外力が加わったとき、被係合口１５の縁部では水平方向、もしくは上方向（接続部１１の内部方向）の角度をもってせん断が開始される。このため、鋭角部１９は、被係合口１５の縁部において下面側の端部が鋭角に形成されており、せん断の開始によって鋭角部１９がランス係止面３９に食い込み、係合突部１３のより深い部分に鋭角部１９を食い込ませることができる。この鋭角部１９により、係合突部１３が被係合口１５に挿入された状態で、被係合口１５の縁部と係合突部１３のランス係止面３９とのせん断距離を長くすることができ、せん断強度を向上、すなわち係止ランス７によるコネクタ端子１の保持力を向上することができる。
【００３３】
なお、係止ランス７の係合突部１３とコネクタ端子１の被係合口１５との係合解除は、まず、図５（ｂ）に示す鋭角部１９が係合突部１３に食い込んだ状態からコネクタ端子１を開口９側に移動させ、図５（ａ）に示す鋭角部１９の係合突部１３への食い込みを解除した状態とさせる。次に、コネクタハウジング３の開口９側に設けられた治具挿入口５５から解除治具（不図示）を挿入し、係止ランス７の先端部に設けられた治具解除部５７に解除治具を当接して係止ランス７を下方に撓ませる。この係止ランス７の下方への撓みにより、係合突部１３と被係合口１５との係合が解除され、端子収容室５からコネクタ端子１を取り出すことができる。
【００３４】
このようなコネクタ端子１では、被係合口１５に接続部１１が端子収容室５から抜ける方向に移動されたときに係止ランス７の係合突部１３に当接され、係合突部１３が被係合口１５から挿入解除方向へ移動することを規制する規制手段１７が設けられているので、コネクタ端子１に端子収容室５から抜ける方向の外力が加わったとしても、係合突部１３と被係合口１５との係合が解除されることがなく、係止ランス７によるコネクタ端子１の保持力を向上することができる。
【００３５】
従って、コネクタハウジング３の係止ランス７にコネクタ端子１の保持力を向上する構造を必要とすることがなく、コネクタハウジング３を小型化することができると共に、係止ランス７による保持力を向上することができる。
【００３６】
また、規制手段１７は、被係合口１５の縁部が鋭角に形成され係止ランス７の係合突部１３に食い込む鋭角部１９を有するので、コネクタ端子１に端子収容室５から抜ける方向の外力が加わると、鋭角部１９が係合突部１３により食い込まれ、係合突部１３と被係合口１５との係合解除を防止することができる。
【００３７】
（第２実施形態）
図６を用いて第２実施形態について説明する。
【００３８】
本実施の形態に係るコネクタ端子１０１は、規制手段１０３は、筒状の接続部１１の外部に向けて突設された突出部１０５を有する。なお、第１実施形態と同一の構成には、同一の記号を記して説明を省略するが、第１実施形態と同一の構成であるので、構成及び機能説明は第１実施形態を参照するものとし省略するが、得られる効果は同一である。
【００３９】
図６に示すように、規制手段１０３は、係合突部１３のランス係止面３９に当接される被係合口１５の縁部が筒状の接続部１１の外部に向けて突設された突出部１０５を有する。この突出部１０５の突出方向は、係止ランス７の係合突部１３の被係合口１５に対する挿入解除方向となっている。ここで、係合突部１３と被係合口１５の縁部との間では、上述したように、コネクタ端子１０１に挿入口２５側に向けて端子収容室５から抜ける方向に外力が加わったとき、水平方向、もしくは上方向（接続部１１の内部方向）の角度をもってせん断が開始される。このため、突出部１０５は、接続部１１の外部に向けて突出されているので、せん断の開始によって突出部１０５の先端がランス係止面３９に食い込み、係合突部１３のより深い部分に突出部１０５の先端を食い込ませることができる。この突出部１０５により、係止ランス７によるコネクタ端子１０１の保持力を向上することができる。
【００４０】
このようなコネクタ端子１０１では、規制手段１０３が筒状の接続部１１の外部に向けて突設された突出部１０５を有するので、係止ランス７の係合突部１３が被係合口１５から挿入解除方向へ移動しようとしても、突出部１０５が位置されて係合突部１３に当接され、係合突部１３と被係合口１５との係合解除を防止することができる。
【００４１】
なお、本発明の実施の形態に係るコネクタ端子では、規制手段の突出部の先端がフラット形状となっているが、突出部の先端を鋭角に形成して鋭角部を設けてもよい。この場合には、コネクタ端子に端子収容室から抜ける方向に外力が加わったとき、突出部の先端の鋭角部が係止ランスの係合突部により食い込み、係止ランスによるコネクタ端子の保持力をさらに向上することができる。
【符号の説明】
【００４２】
１，１０１…コネクタ端子
３…コネクタハウジング
５…端子収容室
７…係止ランス
９…開口
１１…接続部
１３…係合突部
１５…被係合口
１７，１０３…規制手段
１９…鋭角部
３９…ランス係止面
５３…壁部
１０５…突出部
【図１】
0005753416.tif 000002
【図２】
0005753416.tif 000003
【図３】
0005753416.tif 000004
【図４】
0005753416.tif 000005
【図５】
0005753416.tif 000006
【図６】
0005753416.tif 000007